(57)【要約】【課題】変形爪の改善中において、良好な外観性を有し、変形爪に対するストレスを抑えた変形爪の改善方法を提供する。【解決手段】本発明に係る変形爪の改善方法は、変形爪３０上に当該変形爪３０からはみ出すようにしてシルクラップ１２を配置するシルクラップ配置工程ＳＴ４と、変形爪３０が改善されて見えるような表面形状で、変形爪３０上及びシルクラップ１２上の全面を樹脂１４でコーティングする樹脂コーティング工程ＳＴ５と、を含む。【選択図】図３
2020198954.tif 000002
【特許請求の範囲】
【請求項１】
変形爪上に当該変形爪からはみ出すようにしてシルクラップを配置するシルクラップ配置工程と、
前記変形爪が改善されて見えるような表面形状で、前記変形爪上及び前記シルクラップ上の全面を樹脂でコーティングする樹脂コーティング工程と、
を含むことを特徴とする変形爪の改善方法。
【請求項２】
前記シルクラップ配置工程より前に、前記変形爪の表面をサンディング処理及び消毒剤塗布処理を行う前処理工程をさらに含むことを特徴とする請求項１に記載の変形爪の改善方法。
【請求項３】
前記樹脂コーティング工程の後に、前記変形爪からはみ出す部分の端部を所望の形状に整える成形工程をさらに含むことを特徴とする請求項１又は２に記載の変形爪の改善方法。
【請求項４】
前記シルクラップ配置工程より前に、前記変形爪の特に注意して処置したい範囲にシルクシートを被せて当該シルクシートを精製水で溶かすシルクシート処理工程をさらに含むことを特徴とする請求項１〜３のいずれか一項に記載の変形爪の改善方法。
【請求項５】
前記シルクラップ配置工程では、爪床上皮と前記変形爪とが離れる分離ラインの一端である第１のストレスポイントから前記分離ラインの他端である第２のストレスポイントにかけて、前記分離ラインを覆うように前記シルクラップを配置することを特徴とする請求項１〜４のいずれか一項に記載の変形爪の改善方法。
【請求項６】
前記シルクラップ配置工程では、一部が指先からはみ出すように前記シルクラップを配置することを特徴とする請求項１〜５のいずれか一項に記載の変形爪の改善方法。
【請求項７】
前記樹脂コーティング工程では、前記樹脂としてジェル状の紫外線硬化樹脂を用い、当該ジェル状の紫外線硬化樹脂を紫外線で硬化させることを特徴とする請求項１〜６のいずれか一項に記載の変形爪の改善方法。
【請求項８】
前記樹脂コーティング工程では、前記変形爪上及び前記シルクラップ上の全面に亘って、なだらかな表面になるよう前記樹脂でコーティングすることを特徴とする請求項１〜７のいずれか一項に記載の変形爪の改善方法。
【発明の詳細な説明】
【技術分野】
【０００１】
本発明は、変形爪の改善方法に関する。
【背景技術】
【０００２】
巻き爪等の変形爪を改善すべく、さまざまな変形爪の改善方法（矯正方法）が開示されている（例えば、特許文献１及び２参照）。
【０００３】
特許文献１において、変形爪の両側端縁部を係止して引っ張り上げるような、バネ性を有する鋼性又は樹脂製の矯正具を用い、変形爪に変形方向と逆方向に力を加え続ける変形爪の矯正方法が開示されている。特許文献１に開示されて変形爪の矯正方法は、矯正具の取り外しが容易であり、患者自身が簡単に変形爪を矯正できる。
【０００４】
また、特許文献２において、変形爪の表面にバネ性を有する鋼性又は樹脂製の矯正板を接着剤で貼り付け、変形爪に変形方向と逆方向に力を加え続けるとともに、この矯正板の表面を含む変形爪の表面を固化剤でコーティングする変形爪の矯正方法が開示されている。特許文献２に開示されている変形爪の矯正方法は、矯正板の段差を小さくして固化剤で変形爪の表面を滑らかにコーティングできる。
【先行技術文献】
【特許文献】
【０００５】
【特許文献１】特開２００８−１３６６３３号公報
【特許文献２】特開２００５−０６６００３号公報
【発明の概要】
【発明が解決しようとする課題】
【０００６】
しかしながら、特許文献１及び特許文献２で開示されている変形爪の矯正方法は、バネ性を有する鋼性又は樹脂製の矯正具の厚みにより、たとえ矯正具の表面をコーティングしたとしても、外観性に問題がある。
【０００７】
また、特許文献１及び特許文献２で開示されている変形爪の矯正方法は、変形爪に変形方向と逆方向にある程度大きな力を加え続けるため、変形爪に対するストレスが大きいという問題がある。
【０００８】
このような問題に鑑み、本発明は、変形爪の改善中において、良好な外観性を有し、変形爪に対するストレスを抑えた変形爪の改善方法を提供することを課題としている。
【課題を解決するための手段】
【０００９】
［１］本発明に係る変形爪の改善方法は、変形爪上に当該変形爪からはみ出すようにしてシルクラップを配置するシルクラップ配置工程と、変形爪が改善されて見えるような表面形状で、変形爪上及びシルクラップ上の全面を樹脂でコーティングする樹脂コーティング工程と、を含むことを特徴とする。
【００１０】
本発明に係る変形爪の改善方法によれば、変形爪からはみ出すようにしてシルクラップを配置するシルクラップと、変形爪上及びシルクラップ上全体を樹脂でコーティングする樹脂コーティング工程と、を含むため、変形爪の表面で樹脂層が覆うシルクラップ層が薄く強度もあることから、外観を良好に仕上げることができる。
【００１１】
また、本発明に係る変形爪の改善方法によれば、この変形爪の表面を覆うシルクラップ層及び樹脂層は、矯正具のように爪に対して常に元形状に戻ろうとする力を加えるものではないため、矯正具を用いる場合よりも変形爪に対するストレスを抑えることができる。
【００１２】
また、本発明に係る変形爪の改善方法によれば、変形爪からはみ出すようにしてシルクラップを配置し、変形爪が改善されて見えるような表面形状でシルクラップを樹脂コーティングするため、変形爪がそのような形状で固められたシルクラップに倣って成長しようとすることから、徐々に変形爪を改善することができる。
【００１３】
その結果、本発明に係る変形爪の改善方法は、変形爪の改善中において、良好な外観性を有し、変形爪に対するストレスを抑えた変形爪の改善方法となる。
【００１４】
［２］本発明に係る変形爪の改善方法において、シルクラップ配置工程より前に、変形爪の表面をサンディング処理及び消毒剤塗布処理を行う前処理工程をさらに含むことが好ましい。
【００１５】
このような方法によれば、変形爪をよりケアされた状態にし、且つシルクラップ層及び樹脂コーティング層の密着性を向上させることから、より効果的に変形爪を改善することができる。
【００１６】
［３］本発明に係る変形爪の改善方法において、樹脂コーティング工程の後に、変形爪からはみ出す部分の端部を所望の形状に整える成形工程をさらに含むことが好ましい。
【００１７】
このような方法によれば、爪の先端を整えて外観をより良好に仕上げることができる。
【００１８】
［４］本発明に係る変形爪の改善方法において、シルクラップ配置工程より前に、変形爪の特に注意して処置したい範囲にシルクシートを被せて当該シルクシートを精製水で溶かすシルクシート処理工程をさらに含むことが好ましい。
【００１９】
このような方法によれば、特に注意をして処置したい範囲がシルクシートで集中的にケアされることから、より効果的に変形爪を改善することができる。
【００２０】
［５］本発明に係る変形爪の改善方法において、シルクラップ配置工程では、爪床上皮と変形爪とが離れる分離ラインの一端である第１のストレスポイントから分離ラインの他端である第２のストレスポイントにかけて、分離ラインを覆うようにシルクラップを配置することが好ましい。
【００２１】
このような方法によれば、変形が大きくなる変動ポイントであるストレスポイントを確実にカバーした上で、分離ラインから変形爪の成育方向をガイドすることから、より良好に変形爪を改善できる。
【００２２】
［６］本発明に係る変形爪の改善方法において、シルクラップ配置工程では、一部が指先からはみ出すようにシルクラップを配置してもよい。
【００２３】
このような方法によれば、変形爪の成長方向を指に食い込み難いようガイドできるとともに、外観をより良好に仕上げることができる。
【００２４】
［７］本発明に係る変形爪の改善方法において、樹脂コーティング工程では、樹脂としてジェル状の紫外線硬化樹脂を用い、当該ジェル状の紫外線硬化樹脂を紫外線で硬化させることが好ましい。
【００２５】
このような方法によれば、強度に優れた樹脂コーティング層を容易に形成できる。
【００２６】
［８］本発明に係る変形爪の改善方法において、樹脂コーティング工程では、変形爪上及びシルクラップ上の全面に亘って、なだらかな表面になるよう樹脂でコーティングすることが好ましい。
【００２７】
このような方法によれば、外観をより良好に仕上げることができる。
【発明の効果】
【００２８】
本発明によれば、変形爪の改善中において、良好な外観性を有し、変形爪に対するストレスを抑えた変形爪の改善方法を提供することができる。
【図面の簡単な説明】
【００２９】
【図１】実施形態に係る変形爪改善用キット１の構成図である。
【図２】実施形態１に係る変形爪の改善方法を示すフローチャートである。
【図３】実施形態１に係る変形爪の改善方法を説明する図である。
【図４】図３（ｆ）のＡ−Ａ断面模式図である。
【図５】実施形態２に係る変形爪の改善方法を説明する図である。
【発明を実施するための形態】
【００３０】
以下に図面を参照して本発明の一実施形態である変形爪の改善方法に関して説明するが、本発明は、この実施形態に限定されるものではない。なお、各図面は必ずしも実際の寸法や細部までを厳密に反映したものではない。
【００３１】
（実施形態１）
［１−１．実施形態１に係る変形爪改善用キットの構成］
図１は、実施形態１に係る変形爪改善用キット１の構成図である。
【００３２】
後述において説明する実施形態１に係る変形爪の改善方法において、図１に示すような変形爪改善用キット１を用いる。変形爪改善用キット１は、シルクシート１１、シルクラップ１２、消毒剤１３、及び樹脂コーティング剤１４を含む。また、変形爪改善用キット１は、これらの他、施術しやすいよう、適宜、やすり・ピンセット・はさみ・ニッパー・へら・はけ等の用具、紫外線照射器等の機器、又は除去剤・栄養剤等の薬剤が含まれる場合がある。また、変形爪改善用キット１は、シルクシート１１、シルクラップ１２、消毒剤１３、及び樹脂コーティング剤１４が、必ずしも同一パッケージに入った状態で準備されるものとは限らない。
【００３３】
シルクシート１１は、絹糸を主成分とするフィブロイン溶液をフィルム化したものであり、アミノ酸を含有する美容液フィルムである。シルクシート１１としては、一例として、株式会社絹工房製の＠ｆｉｂ．ＰＲＥＭＩＵＭ  ＳＩＬＫ  ＳＨＥＥＴ（商品名）を採用している。シルクシート１１は、爪の育成促進効果等を発揮する。
【００３４】
シルクラップ１２は、絹糸を主成分とする繊維質の爪補修用のシート又はテープである。シルクラップ１２は、接着剤やネイルグルーが繊維質の隙間に吸収されると、必要十分な硬質及び強度となる。
【００３５】
消毒剤１３は、殺菌効果のある薬剤であり、例えば消毒用エタノールである。
【００３６】
樹脂コーティング剤１４は、固化させると樹脂の硬質物となる液剤又はジェル剤である。本実施形態の樹脂コーティング剤１４は、紫外線硬化ジェル剤を採用しており、紫外線を照射すると硬質の樹脂に変質する。なお、樹脂コーティング剤として自然硬化型のものを採用してもよい。
【００３７】
［１−２．実施形態１に係る変形爪の改善方法］
図２は、実施形態１に係る変形爪の改善方法を示すフローチャートである。
図３は、実施形態１に係る変形爪の改善方法を説明する図である。図３（ａ）は、甘皮処理工程ＳＴ１を示す。図３（ｂ）は、前処理工程ＳＴ２を示す。図３（ｃ）は、シルクシート処理工程ＳＴ３を示す。図３（ｄ）は、シルクラップ配置工程ＳＴ４を示す。図３（ｅ）は、樹脂コーティング工程ＳＴ５を示す。図３（ｆ）は、成形工程ＳＴ６を示す。なお、図３においては、その工程での施術を特徴づける部材又は範囲にクロスハッチングを描いている。
図４は、図３（ｆ）のＡ−Ａ断面模式図である。図４は、ストレスポイント付近を通る断面を模式的に示している。
【００３８】
実施形態１は、巻き爪である変形爪を改善するとともに、外観を美しく見せる変形爪の改善方法に関する。巻き爪は、内側に巻くようにして爪が伸びていく傾向にあり、端部が爪床上皮に食い込んで痛みを発生させることもあり、改善したい変形爪の一例である。
【００３９】
実施形態１の変形爪３０（巻き爪）は、指２０の爪床上皮２１と変形爪３０とが離れる分離ライン３４（一端が第１のストレスポイント３２で、他端が第２のストレスポイント３３となっている）を境に、先端に行くにしたがって大きく内側に巻いている（図３（ａ）参照）。実施形態１に係る変形爪の改善方法では、前述した変形爪改善用キット１の他、へら４１、はけ４２，４３、及びお湯が入った容器・やすり・ピンセット・はさみ・ニッパー等といった用具（不図示）、並びに紫外線照射器等といった機器（不図示）を用いる。実施形態１に係る変形爪の改善方法は、図２に示すように、甘皮処理工程ＳＴ１、前処理工程ＳＴ２、シルクシート処理工程ＳＴ３、シルクラップ配置工程ＳＴ４、樹脂コーティング工程ＳＴ５、及び成形工程ＳＴ６を順に行う。
【００４０】
まず、甘皮処理工程ＳＴ１において、変形爪３０及び指２０の先を４０℃程度のお湯にしばらくつけて、変形爪３０表面の甘皮３１等を柔らかくする。その後に、甘皮処理工程ＳＴ１において、図３（ａ）に示すように、へら４１やニッパー等の用具を用いて、甘皮３１を取り除き、変形爪３０の表面を整える。
【００４１】
次に、前処理工程ＳＴ２において、やすりを用いて変形爪３０の表面をサンディング処理した後、図３（ｂ）に示すように、はけ４２等で変形爪３０の表面全面に消毒剤１３を塗布する。
【００４２】
次に、シルクシート処理工程ＳＴ３において、変形爪３０の特に注意して処置したい範囲、例えば、第１のストレスポイント３２から第２のストレスポイント３３にかけての指２０の爪床上皮２１と変形爪３０とが離れる分離ライン３４を覆う範囲、に対応させて、シルクシート１１をはさみ等で成形する。その後、シルクシート処理工程ＳＴ３において、図３（ｃ）に示すように、変形爪３０の特に注意して処置したい範囲にシルクシート１１を被せて当該シルクシート１１を精製水で溶かす。
【００４３】
次に、シルクラップ配置工程ＳＴ４において、第１のストレスポイント３２から第２のストレスポイント３３にかけて分離ライン３４を覆い、変形爪３０及び指先（指２０の先端）からはみ出すようなサイズにシルクラップ１２をはさみ等で成形する。その後、シルクラップ配置工程ＳＴ４において、図３（ｄ）に示すように、成形したシルクラップ１２を、第１のストレスポイント３２から第２のストレスポイント３３にかけて分離ライン３４を覆い、変形爪３０及び指先（指２０の先端）からはみ出すようにして変形爪３０上に配置する。シルクラップ配置工程ＳＴ４において、シルクラップ１２は、溶かした後乾かせたシルクシート１１及び爪床上皮２１の露出する範囲を完全に覆うとともに、変形爪３０と重なる範囲を広めに設けることが好ましい。
【００４４】
次に、樹脂コーティング工程ＳＴ５において、図３（ｅ）に示すように、はけ４３等を用いて、変形爪３０上及びシルクラップ１２上の全面を樹脂コーティング剤１４（樹脂）でコーティングする。前述したように、樹脂コーティング剤１４は、ジェル状の紫外線硬化樹脂である。その後、樹脂コーティング工程ＳＴ５において、紫外線照射器を用い、樹脂コーティング剤１４を紫外線で硬化させる。樹脂コーティング工程ＳＴ５では、変形爪３０が改善されて見えるような表面形状（表面的に巻き爪だとはなるべくわからないような形状）に、樹脂コーティング剤１４でコーティングする。また、樹脂コーティング工程ＳＴ５では、変形爪３０上及びシルクラップ１２上の全面に亘って、段差なく、なだらかな表面になるよう樹脂コーティング剤１４でコーティングする。
【００４５】
次に、成形工程ＳＴ６において、やすりやはさみ等を用いて、図３（ｆ）に示すように、変形爪３０からはみ出す部分の端部を所望の形状に整える。また、所望の場合には、樹脂コーティング剤１４の表面にマニキュアやデコレーション等で化粧してもよい。
【００４６】
以上の工程を経ることで、指先は外観上良好に化粧される。また、以上の工程を経た変形爪３０は、図４に示すように、特にケアが必要な範囲では、内側から、シルクフィルム１１、シルクラップ１２、及び樹脂コーティング剤１４の層で保護されるとともに、育成の促進がなされる。また、以上の工程を経た変形爪３０は、外観的に良好に形成された変形爪３０からはみ出すように形成されたシルクラップ１２及び樹脂コーティング剤１４に倣って成長しやすくなっている。
【００４７】
［１−３．実施形態１に係る効果］
実施形態１に係る変形爪の改善方法によれば、変形爪３０からはみ出すようにしてシルクラップ１２を配置するシルクラップＳＴ４と、変形爪３０上及びシルクラップ１２上全体を樹脂コーディング剤１４でコーティングする樹脂コーティング工程ＳＴ５と、を含むため、変形爪３０の表面で樹脂コーティング剤１４層が覆う薄いシルクラップ１２層が薄く強度もあることから、外観を良好に仕上げることができる。
【００４８】
また、実施形態１に係る変形爪の改善方法によれば、変形爪３０の表面を覆うシルクラップ１２層及び樹脂コーティング剤１４層は、矯正具のように爪に対して常に元形状に戻ろうとする力を加えるものではないため、矯正具を用いる場合よりも変形爪３０に対するストレスを抑えることができる。
【００４９】
また、実施形態１に係る変形爪の改善方法によれば、変形爪３０からはみ出すようにしてシルクラップ１２を配置し、変形爪３０が改善されて見えるような表面形状でシルクラップ１２を樹脂コーティング剤１４でコーティングするため、変形爪３０がそのような形状で固められたシルクラップ１２に倣って成長しようとすることから、徐々に変形爪３０を改善することができる。
【００５０】
その結果、実施形態１に係る変形爪の改善方法は、変形爪３０の改善中において、良好な外観性を有し、変形爪３０に対するストレスを抑えた変形爪の改善方法となる。
【００５１】
実施形態１に係る変形爪の改善方法においては、変形爪３０の表面をサンディング処理及び消毒剤塗布処理を行う前処理工程ＳＴ２を含むため、変形爪３０をよりケアされた状態にし、且つシルクラップ１２層及び樹脂コーティング剤１４層の密着性を向上させることから、より効果的に変形爪３０を改善することができる。
【００５２】
実施形態１に係る変形爪の改善方法においては、変形爪３０からはみ出す部分の端部を所望の形状に整える成形工程ＳＴ６を含むため、爪の先端を整えて外観をより良好に仕上げることができる。
【００５３】
実施形態１に係る変形爪の改善方法においては、変形爪３０の特に注意して処置したい範囲にシルクシート１１を被せて当該シルクシート１１を精製水で溶かすシルクシート処理工程ＳＴ３を含むため、特に注意をして処置したい範囲がシルクシート１１で集中的にケアされることから、より効果的に変形爪３０を改善することができる。
【００５４】
実施形態１に係る変形爪の改善方法においては、シルクラップ配置工程ＳＴ４で、第１のストレスポイント３２から第２のストレスポイント３３にかけて、分離ライン３４を覆うようにシルクラップ１２を配置するため、変形が大きくなる変動ポイントであるストレスポイント３２，３３を確実にカバーした上で、分離ライン３４から変形爪３０の成育方向をガイドすることから、より良好に変形爪３０を改善できる。
【００５５】
実施形態１に係る変形爪の改善方法においては、シルクラップ配置工程ＳＴ４で、一部が指先からはみ出すようにシルクラップ１２を配置するため、変形爪３０の成長方向を指に食い込み難いようガイドできるとともに、外観をより良好に仕上げることができる。
【００５６】
実施形態１に係る変形爪の改善方法においては、樹脂コーティング工程ＳＴ５で、樹脂コーティング剤１４としてジェル状の紫外線硬化樹脂を用い、紫外線で硬化させるため、強度に優れた樹脂コーティング剤１４層を容易に形成できる。
【００５７】
実施形態１に係る変形爪の改善方法においては、樹脂コーティング工程ＳＴ５で、変形爪３０上及びシルクラップ１２上の全面に亘って、なだらかな表面になるよう樹脂コーティング剤１４でコーティングするため、外観をより良好に仕上げることができる。
【００５８】
（実施形態２）
図５は、実施形態２に係る変形爪の改善方法を説明する図である。図５（ａ）は、甘皮処理工程ＳＴ１を示す。図５（ｂ）は、前処理工程ＳＴ２を示す。図５（ｃ）は、シルクシート処理工程ＳＴ３を示す。図５（ｄ）は、シルクラップ配置工程ＳＴ４を示す。図５（ｅ）は、樹脂コーティング工程ＳＴ５を示す。図５（ｆ）は、成形工程ＳＴ６を示す。なお、図５においては、その工程での施術を特徴づける部材又は範囲にクロスハッチングを示している。
【００５９】
実施形態２は、欠損爪である変形爪を改善するとともに、外観を美しく見せる変形爪の改善方法に関する。このような変形爪（欠損爪）は、露出した爪床上皮が盛り上がり易くその後反り返ったりして変形がひどくなることもあり、改善したい変形爪の一例である。
【００６０】
実施形態２に係る変形爪の改善方法は、施術対象である変形爪の状態が実施形態１と異なるが、基本的には実施形態１に係る変形爪の改善方法と同様、変形爪改善用キット１や同様の用具等を用いて、図２に示す流れで処置する。すなわち、図５に示すように、図３に示す実施形態１とは変形爪３０の変形具合が異なるものの、変形具合に対応させてシルクシート１１及びシルクラップ１２の形状を調整し、同様の処置を施せばよい。このため、図５には図３と対応させて同じ符号を付した同様の図を示し、以下では、実施形態１とは異なるシルクシート１１及びシルクラップ１２の形状に関するシルクシート処理工程ＳＴ３、及びシルクラップ配置工程ＳＴ４ついてのみ説明し、その他の説明を省略する。
【００６１】
実施形態２におけるシルクシート処理工程ＳＴ３では、第１のストレスポイント３２から第２のストレスポイント３３にかけての指２０の爪床上皮２１と変形爪３０とが離れる分離ライン３４が爪の側方（図５では下方向）根本近くまで延びているが、分離ライン３４を覆う範囲、に対応させて、シルクシート１１をはさみ等で成形する。その後、シルクシート処理工程ＳＴ３において、図５（ｃ）に示すように、分離ライン３４を覆うようにしてシルクシート１１を変形爪３０に斜めに被せて当該シルクシート１１を精製水で溶かす。
【００６２】
また、シルクラップ配置工程ＳＴ４では、爪の側方（図５では下方向）根本近くまで延びている分離ライン３４を覆い、爪の側方の露出している爪床上皮２１表面を覆い、変形爪３０及び指先（指２０の先端）からはみ出すようなサイズにシルクラップ１２をはさみ等で成形する。その後、シルクラップ配置工程ＳＴ４において、図５（ｄ）に示すように、成形したシルクラップ１２を、分離ライン３４を覆い、爪の側方の露出している爪床上皮２１表面を覆い、変形爪３０及び指先（指２０の先端）からはみ出すようにして変形爪３０上に配置する。
【００６３】
実施形態２に係る変形爪の改善方法は、施術対象である変形爪の状態が実施形態１と異なるものの、実施形態１に係る変形爪の改善方法と同様に処置できるため、実施形態１に係る変形爪の改善方法と同様、変形爪３０の改善中において、良好な外観性を有し、変形爪３０に対するストレスを抑えた変形爪の改善方法となる。
【００６４】
以上、本発明を上記の実施形態に基づき説明したが、本発明は上記の実施形態に限定されるものではない。その趣旨を逸脱しない範囲において種々の態様において実施することが可能であり、例えば、次のような変形も可能である。
【００６５】
（１）上記実施形態において記載した構成要素の数、形状、位置、向き、配置形態、大きさ、材質等は例示であり、本発明の効果を損なわない範囲において変更することが可能である。
【００６６】
（２）上記した実施形態においては、明らかに変形しているわかる巻き爪及び欠損爪を例に挙げて説明したが、本発明はこれに限定されるものではない。例えば、深爪、肥厚爪、陥入爪も本発明の変形爪に該当する。また、例えば、一般的には変形爪とはいえないが、より改善しようと考えている爪も本発明の変形爪に該当する。
【００６７】
（３）上記した実施形態においては、シルクシート１１については１枚用いることを前提に説明したが、本発明はこれに限定されるものではない。例えば、特に注意してケアしたい領域が複数領域ある場合に、シルクシートは、複数枚用いてそれぞれの領域を覆うように分離して被せても良い。
【００６８】
（４）上記した実施形態においては、シルクシート１１やシルクラップ１２は変形爪３０の全表面を覆わないものとして説明したが、本発明はこれに限定されるものではない。シルクシート又はシルクラップが、変形爪の全表面を覆うようにしてもよい。
【００６９】
（５）上記した実施形態においては、１液の樹脂コーティング剤を用いるものであるがごとく、と説明したが、本発明はこれに限定されるものではない。例えば、２液混合の樹脂コーティング剤を用いても良い。
【００７０】
（６）本発明の変形爪の改善方法は、一度の施術で変形爪が即、急激に改善される方法でも、変形爪を完治させることを保証する方法でもない。本発明に係る変形爪の改善方法は、外観を良好に仕上げるとともに変形爪を徐々に改善していく方法であり、変形爪の程度によっては、繰り返しの施術や外科的処方を要する。
【符号の説明】
【００７１】
１…変形爪改善用キット
１１…シルクシート
１２…シルクラップ
１３…消毒剤
１４…樹脂コーティング剤（樹脂）
２０…指
２１…爪床上皮
３０…変形爪
３１…甘皮
３２…第１のストレスポイント
３３…第２のストレスポイント
３４…分離ライン
４１…へら
４２，４３…はけ
ＳＴ１…甘皮処理工程
ＳＴ２…前処理工程
ＳＴ３…シルクシート処理工程
ＳＴ４…シルクラップ配置工程
ＳＴ５…樹脂コーティング工程
ＳＴ６…成形工程
【図１】
2020198954.tif 000003
【図２】
2020198954.tif 000004
【図３】
2020198954.tif 000005
【図４】
2020198954.tif 000006
【図５】
2020198954.tif 000007
【手続補正書】
【提出日】令和2年3月10日(2020.3.10)
【手続補正１】
【補正対象書類名】特許請求の範囲
【補正対象項目名】全文
【補正方法】変更
【補正の内容】
【特許請求の範囲】
【請求項１】
変形爪上に当該変形爪からはみ出すようにしてシルクラップを配置するシルクラップ配置工程と、
前記変形爪が改善されて見えるような表面形状で、前記変形爪上及び前記シルクラップ上の全面を樹脂でコーティングする樹脂コーティング工程と、
を含むことを特徴とする変形爪に対するネイル方法。
【請求項２】
前記シルクラップ配置工程より前に、前記変形爪の表面にサンディング処理を行う前処理工程をさらに含むことを特徴とする請求項１に記載の変形爪に対するネイル方法。
【請求項３】
前記樹脂コーティング工程の後に、前記変形爪からはみ出す部分の端部を所望の形状に整える成形工程をさらに含むことを特徴とする請求項１又は２に記載の変形爪に対するネイル方法。
【請求項４】
前記シルクラップ配置工程より前に、前記変形爪にシルクシートを被せて当該シルクシートを精製水で溶かすシルクシート処理工程をさらに含むことを特徴とする請求項１〜３のいずれか一項に記載の変形爪に対するネイル方法。
【請求項５】
前記シルクラップ配置工程では、爪床上皮と前記変形爪とが離れる分離ラインの一端である第１のストレスポイントから前記分離ラインの他端である第２のストレスポイントにかけて、前記分離ラインを覆うように前記シルクラップを配置することを特徴とする請求項１〜４のいずれか一項に記載の変形爪に対するネイル方法。
【請求項６】
前記シルクラップ配置工程では、一部が指先からはみ出すように前記シルクラップを配置することを特徴とする請求項１〜５のいずれか一項に記載の変形爪に対するネイル方法。
【請求項７】
前記樹脂コーティング工程では、前記樹脂としてジェル状の紫外線硬化樹脂を用い、当該ジェル状の紫外線硬化樹脂を紫外線で硬化させることを特徴とする請求項１〜６のいずれか一項に記載の変形爪に対するネイル方法。
【請求項８】
前記樹脂コーティング工程では、前記変形爪上及び前記シルクラップ上の全面に亘って、なだらかな表面になるよう前記樹脂でコーティングすることを特徴とする請求項１〜７のいずれか一項に記載の変形爪に対するネイル方法。
【手続補正２】
【補正対象書類名】明細書
【補正対象項目名】全文
【補正方法】変更
【補正の内容】
【発明の詳細な説明】
【技術分野】
【０００１】
本発明は、変形爪に対するネイル方法に関する。
【背景技術】
【０００２】
爪を美しく見せるために、爪の表面に人工爪を装着する処理（本願では「ネイル」と称する。）が行われる。巻き爪等の変形爪においては、矯正をしながらネイルを行っていた。巻き爪等の変形爪を改善すべく、さまざまな変形爪の改善方法（矯正方法）が開示されている（例えば、特許文献１及び２参照）。
【０００３】
特許文献１において、変形爪の両側端縁部を係止して引っ張り上げるような、バネ性を有する鋼性又は樹脂製の矯正具を用い、変形爪に変形方向と逆方向に力を加え続ける変形爪の矯正方法が開示されている。特許文献１に開示されて変形爪の矯正方法は、矯正具の取り外しが容易であり、患者自身が簡単に変形爪を矯正できる。
【０００４】
また、特許文献２において、変形爪の表面にバネ性を有する鋼性又は樹脂製の矯正板を接着剤で貼り付け、変形爪に変形方向と逆方向に力を加え続けるとともに、この矯正板の表面を含む変形爪の表面を固化剤でコーティングする変形爪の矯正方法が開示されている。特許文献２に開示されている変形爪の矯正方法は、矯正板の段差を小さくして固化剤で変形爪の表面を滑らかにコーティングできる。
【先行技術文献】
【特許文献】
【０００５】
【特許文献１】特開２００８−１３６６３３号公報
【特許文献２】特開２００５−０６６００３号公報
【発明の概要】
【発明が解決しようとする課題】
【０００６】
しかしながら、特許文献１及び特許文献２で開示されている変形爪の矯正方法は、バネ性を有する鋼性又は樹脂製の矯正具の厚みにより、たとえ矯正具の表面をコーティングしたとしても、外観性に問題がある。
【０００７】
また、特許文献１及び特許文献２で開示されている変形爪の矯正方法は、変形爪に変形方向と逆方向にある程度大きな力を加え続けるため、変形爪に対するストレスが大きいという問題がある。
【０００８】
このような問題に鑑み、本発明は、変形爪に対して矯正をしなくとも外観良く仕上げることが可能な、変形爪に対するネイル方法を提供することを課題としている。
【課題を解決するための手段】
【０００９】
［１］本発明に係る変形爪に対するネイル方法は、変形爪上に当該変形爪からはみ出すようにしてシルクラップを配置するシルクラップ配置工程と、変形爪が改善されて見えるような表面形状で、変形爪上及びシルクラップ上の全面を樹脂でコーティングする樹脂コーティング工程と、を含むことを特徴とする。
【００１０】
本発明に係る変形爪に対するネイル方法によれば、変形爪からはみ出すようにしてシルクラップを配置するシルクラップと、変形爪上及びシルクラップ上全体を樹脂でコーティングする樹脂コーティング工程と、を含むため、変形爪の表面で樹脂層が覆うシルクラップ層が薄く強度もあることから、外観を良好に仕上げることができる。
【００１１】
また、本発明に係る変形爪に対するネイル方法によれば、この変形爪の表面を覆うシルクラップ層及び樹脂層は、矯正具のように爪に対して常に元形状に戻ろうとする力を加えるものではないため、矯正具を用いる場合と異なり、変形爪に対するストレスを抑えることができる。
【００１２】
また、本発明に係る変形爪に対するネイル方法によれば、変形爪からはみ出すようにしてシルクラップを配置し、変形爪が改善されて見えるような表面形状でシルクラップを樹脂コーティングするため、変形爪の欠損した部分にもシルクラップを土台とした樹脂コーティングがされることから、外観良く仕上げることができる。
【００１３】
その結果、本発明に係る変形爪に対するネイル方法は、変形爪に対して矯正しなくとも外観良く仕上げることが可能な変形爪に対するネイル方法となる。
【００１４】
［２］本発明に係る変形爪に対するネイル方法において、シルクラップ配置工程より前に、変形爪の表面にサンディング処理を行う前処理工程をさらに含むことが好ましい。
【００１５】
このような方法によれば、シルクラップ層及び樹脂コーティング層の密着性を向上させることから、より外観良く仕上げることができる。
【００１６】
［３］本発明に係る変形爪に対するネイル方法において、樹脂コーティング工程の後に、変形爪からはみ出す部分の端部を所望の形状に整える成形工程をさらに含むことが好ましい。
【００１７】
このような方法によれば、爪の先端を整えて外観をより良好に仕上げることができる。
【００１８】
［４］本発明に係る変形爪に対するネイル方法において、シルクラップ配置工程より前に、変形爪にシルクシートを被せて当該シルクシートを精製水で溶かすシルクシート処理工程をさらに含むことが好ましい。
【００１９】
このような方法によれば、シルクシートを介しシルクラップが配置されることから、シルクラップをよりなじませて変形爪に配置することができる。
【００２０】
［５］本発明に係る変形爪に対するネイル方法において、シルクラップ配置工程では、爪床上皮と変形爪とが離れる分離ラインの一端である第１のストレスポイントから分離ラインの他端である第２のストレスポイントにかけて、分離ラインを覆うようにシルクラップを配置することが好ましい。
【００２１】
このような方法によれば、変形が大きくなる変動ポイントであるストレスポイントを確実にカバーした上で、樹脂コーティングの下地を形成できることから、より外観良く仕上げることができる。
【００２２】
［６］本発明に係る変形爪に対するネイル方法において、シルクラップ配置工程では、一部が指先からはみ出すようにシルクラップを配置してもよい。
【００２３】
このような方法によれば、指先からはみ出した部分にまで樹脂コーティングの下地を形成できることから、外観をより良好に仕上げることができる。
【００２４】
［７］本発明に係る変形爪に対するネイル方法において、樹脂コーティング工程では、樹脂としてジェル状の紫外線硬化樹脂を用い、当該ジェル状の紫外線硬化樹脂を紫外線で硬化させることが好ましい。
【００２５】
このような方法によれば、強度に優れた樹脂コーティング層を容易に形成できる。
【００２６】
［８］本発明に係る変形爪に対するネイル方法において、樹脂コーティング工程では、変形爪上及びシルクラップ上の全面に亘って、なだらかな表面になるよう樹脂でコーティングすることが好ましい。
【００２７】
このような方法によれば、外観をより良好に仕上げることができる。
【発明の効果】
【００２８】
本発明によれば、変形爪に対して矯正しなくとも外観良く仕上げることが可能な、変形爪に対するネイル方法を提供することができる。
【図面の簡単な説明】
【００２９】
【図１】実施形態に係る変形爪に対するネイル用キット１の構成図である。
【図２】実施形態１に係る変形爪に対するネイル方法を示すフローチャートである。
【図３】実施形態１に係る変形爪に対するネイル方法を説明する図である。
【図４】図３（ｆ）のＡ−Ａ断面模式図である。
【図５】実施形態２に係る変形爪に対するネイル方法を説明する図である。
【発明を実施するための形態】
【００３０】
以下に図面を参照して本発明の一実施形態である変形爪に対するネイル方法に関して説明するが、本発明は、この実施形態に限定されるものではない。なお、各図面は必ずしも実際の寸法や細部までを厳密に反映したものではない。
【００３１】
（実施形態１）
［１−１．実施形態１に係る変形爪に対するネイル用キットの構成］
図１は、実施形態１に係る変形爪に対するネイル用キット１の構成図である。
【００３２】
後述において説明する実施形態１に係る変形爪に対するネイル方法において、図１に示すような変形爪に対するネイル用キット１を用いる。変形爪に対するネイル用キット１は、シルクシート１１、シルクラップ１２、油分除去剤１３、及び樹脂コーティング剤１４を含む。また、変形爪に対するネイル用キット１は、これらの他、施術しやすいよう、適宜、やすり・ピンセット・はさみ・ニッパー・へら・はけ等の用具、紫外線照射器等の機器、又は除去剤等が含まれる場合がある。また、変形爪に対するネイル用キット１は、シルクシート１１、シルクラップ１２、油分除去剤１３、及び樹脂コーティング剤１４が、必ずしも同一パッケージに入った状態で準備されるものとは限らない。
【００３３】
シルクシート１１は、絹糸を主成分とするフィブロイン溶液をフィルム化したものであり、アミノ酸を含有する美容液フィルムである。シルクシート１１としては、一例として、株式会社絹工房製の＠ｆｉｂ．ＰＲＥＭＩＵＭ  ＳＩＬＫ  ＳＨＥＥＴ（商品名）を採用している。
【００３４】
シルクラップ１２は、絹糸を主成分とする繊維質の爪補修用のシート又はテープである。シルクラップ１２は、接着剤やネイルグルーが繊維質の隙間に吸収されると、必要十分な硬質及び強度となる。
【００３５】
油分除去剤１３は、脱脂効果のある液剤であり、例えば消毒用エタノールである。
【００３６】
樹脂コーティング剤１４は、固化させると樹脂の硬質物となる液剤又はジェル剤である。本実施形態の樹脂コーティング剤１４は、紫外線硬化ジェル剤を採用しており、紫外線を照射すると硬質の樹脂に変質する。なお、樹脂コーティング剤として自然硬化型のものを採用してもよい。
【００３７】
［１−２．実施形態１に係る変形爪に対するネイル方法］
図２は、実施形態１に係る変形爪に対するネイル方法を示すフローチャートである。
図３は、実施形態１に係る変形爪に対するネイル方法を説明する図である。図３（ａ）は、甘皮処理工程ＳＴ１を示す。図３（ｂ）は、前処理工程ＳＴ２を示す。図３（ｃ）は、シルクシート処理工程ＳＴ３を示す。図３（ｄ）は、シルクラップ配置工程ＳＴ４を示す。図３（ｅ）は、樹脂コーティング工程ＳＴ５を示す。図３（ｆ）は、成形工程ＳＴ６を示す。なお、図３においては、その工程での施術を特徴づける部材又は範囲にクロスハッチングを描いている。
図４は、図３（ｆ）のＡ−Ａ断面模式図である。図４は、ストレスポイント付近を通る断面を模式的に示している。
【００３８】
実施形態１は、巻き爪である変形爪の外観を美しく見せる変形に対するネイル方法に関する。巻き爪は、内側に巻くようにして爪が伸びていく傾向にあり、ネイルが困難な変形爪の一例である。
【００３９】
実施形態１の変形爪３０（巻き爪）は、指２０の爪床上皮２１と変形爪３０とが離れる分離ライン３４（一端が第１のストレスポイント３２で、他端が第２のストレスポイント３３となっている）を境に、先端に行くにしたがって大きく内側に巻いている（図３（ａ）参照）。実施形態１に係る変形爪に対するネイル方法では、前述した変形爪に対するネイル用キット１の他、へら４１、はけ４２，４３、及びお湯が入った容器・やすり・ピンセット・はさみ・ニッパー等といった用具（不図示）、並びに紫外線照射器等といった機器（不図示）を用いる。実施形態１に係る変形爪に対するネイル方法は、図２に示すように、甘皮処理工程ＳＴ１、前処理工程ＳＴ２、シルクシート処理工程ＳＴ３、シルクラップ配置工程ＳＴ４、樹脂コーティング工程ＳＴ５、及び成形工程ＳＴ６を順に行う。
【００４０】
まず、甘皮処理工程ＳＴ１において、変形爪３０及び指２０の先を４０℃程度のお湯にしばらくつけて、変形爪３０表面の甘皮３１等を柔らかくする。その後に、甘皮処理工程ＳＴ１において、図３（ａ）に示すように、へら４１やニッパー等の用具を用いて、甘皮３１を取り除き、変形爪３０の表面を整える。
【００４１】
次に、前処理工程ＳＴ２において、やすりを用いて変形爪３０の表面にサンディング処理した後、図３（ｂ）に示すように、はけ４２等で変形爪３０の表面全面に油分除去剤１３を塗布する。
【００４２】
次に、シルクシート処理工程ＳＴ３において、変形爪３０の特に注意したい範囲、例えば、第１のストレスポイント３２から第２のストレスポイント３３にかけての指２０の爪床上皮２１と変形爪３０とが離れる分離ライン３４を覆う範囲、に対応させて、シルクシート１１をはさみ等で成形する。その後、シルクシート処理工程ＳＴ３において、図３（ｃ）に示すように、変形爪３０の特に注意したい範囲にシルクシート１１を被せて当該シルクシート１１を精製水で溶かす。
【００４３】
次に、シルクラップ配置工程ＳＴ４において、第１のストレスポイント３２から第２のストレスポイント３３にかけて分離ライン３４を覆い、変形爪３０及び指先（指２０の先端）からはみ出すようなサイズにシルクラップ１２をはさみ等で成形する。その後、シルクラップ配置工程ＳＴ４において、図３（ｄ）に示すように、成形したシルクラップ１２を、第１のストレスポイント３２から第２のストレスポイント３３にかけて分離ライン３４を覆い、変形爪３０及び指先（指２０の先端）からはみ出すようにして変形爪３０上に配置する。シルクラップ配置工程ＳＴ４において、シルクラップ１２は、溶かした後乾かせたシルクシート１１及び爪床上皮２１の露出する範囲を完全に覆うとともに、変形爪３０と重なる範囲を広めに設けることが好ましい。
【００４４】
次に、樹脂コーティング工程ＳＴ５において、図３（ｅ）に示すように、はけ４３等を用いて、変形爪３０上及びシルクラップ１２上の全面を樹脂コーティング剤１４（樹脂）でコーティングする。前述したように、樹脂コーティング剤１４は、ジェル状の紫外線硬化樹脂である。その後、樹脂コーティング工程ＳＴ５において、紫外線照射器を用い、樹脂コーティング剤１４を紫外線で硬化させる。樹脂コーティング工程ＳＴ５では、変形爪３０が改善されて見えるような表面形状（表面的に巻き爪だとはなるべくわからないような形状）に、樹脂コーティング剤１４でコーティングする。また、樹脂コーティング工程ＳＴ５では、変形爪３０上及びシルクラップ１２上の全面に亘って、段差なく、なだらかな表面になるよう樹脂コーティング剤１４でコーティングする。
【００４５】
次に、成形工程ＳＴ６において、やすりやはさみ等を用いて、図３（ｆ）に示すように、変形爪３０からはみ出す部分の端部を所望の形状に整える。また、所望の場合には、樹脂コーティング剤１４の表面にマニキュアやデコレーション等で化粧してもよい。
【００４６】
以上の工程を経ることで、指先は外観上良好に化粧される。また、以上の工程を経た変形爪３０は、図４に示すように、特にケアが必要な範囲では、内側から、シルクフィルム１１、シルクラップ１２、及び樹脂コーティング剤１４の層で保護される。
【００４７】
［１−３．実施形態１に係る効果］
実施形態１に係る変形爪に対するネイル方法によれば、変形爪３０からはみ出すようにしてシルクラップ１２を配置するシルクラップＳＴ４と、変形爪３０上及びシルクラップ１２上全体を樹脂コーディング剤１４でコーティングする樹脂コーティング工程ＳＴ５と、を含むため、変形爪３０の表面で樹脂コーティング剤１４層が覆う薄いシルクラップ１２層が薄く強度もあることから、外観を良好に仕上げることができる。
【００４８】
また、実施形態１に係る変形爪に対するネイル方法によれば、変形爪３０の表面を覆うシルクラップ１２層及び樹脂コーティング剤１４層は、矯正具のように爪に対して常に元形状に戻ろうとする力を加えるものではないため、矯正具を用いる場合と異なり、変形爪３０に対するストレスを抑えることができる。
【００４９】
また、実施形態１に係る変形爪に対するネイル方法によれば、変形爪３０からはみ出すようにしてシルクラップ１２を配置し、変形爪３０が改善されて見えるような表面形状でシルクラップ１２を樹脂コーティング剤１４でコーティングするため、変形爪３０の欠損した部分にもシルクラップ１２を土台とした樹脂コーティングがされることから、外観良く仕上げることができる。
【００５０】
その結果、実施形態１に係る変形爪に対するネイル方法は、変形爪３０に対して矯正しなくとも外観良く仕上げることが可能な変形爪３０に対するネイル方法となる。
【００５１】
実施形態１に係る変形爪に対するネイル方法においては、変形爪３０の表面をサンディング処理を含むため、シルクラップ１２層及び樹脂コーティング剤１４層の密着性を向上させることから、より外観良く仕上げることができる。
【００５２】
実施形態１に係る変形爪に対するネイル方法においては、変形爪３０からはみ出す部分の端部を所望の形状に整える成形工程ＳＴ６を含むため、爪の先端を整えて外観をより良好に仕上げることができる。
【００５３】
実施形態１に係る変形爪に対するネイル方法においては、変形爪３０にシルクシート１１を被せて当該シルクシート１１を精製水で溶かすシルクシート処理工程ＳＴ３を含むため、シルクシート１１を介しシルクラップ１２が配置されることから、シルクラップ１２をよりなじませて変形爪３０に配置することができる。
【００５４】
実施形態１に係る変形爪に対するネイルの改善方法においては、シルクラップ配置工程ＳＴ４で、第１のストレスポイント３２から第２のストレスポイント３３にかけて、分離ライン３４を覆うようにシルクラップ１２を配置するため、変形が大きくなる変動ポイントであるストレスポイント３２，３３を確実にカバーした上で、樹脂コーティングの下地を形成できることから、より外観良く仕上げることができる。
【００５５】
実施形態１に係る変形爪に対するネイル方法においては、シルクラップ配置工程ＳＴ４で、一部が指先からはみ出すようにシルクラップ１２を配置するため、指先からはみ出した部分にまで樹脂コーティングの下地を形成できることから、外観をより良好に仕上げることができる。
【００５６】
実施形態１に係る変形爪に対するネイル方法においては、樹脂コーティング工程ＳＴ５で、樹脂コーティング剤１４としてジェル状の紫外線硬化樹脂を用い、紫外線で硬化させるため、強度に優れた樹脂コーティング剤１４層を容易に形成できる。
【００５７】
実施形態１に係る変形爪に対するネイル方法においては、樹脂コーティング工程ＳＴ５で、変形爪３０上及びシルクラップ１２上の全面に亘って、なだらかな表面になるよう樹脂コーティング剤１４でコーティングするため、外観をより良好に仕上げることができる。
【００５８】
（実施形態２）
図５は、実施形態２に係る変形爪に対するネイル方法を説明する図である。図５（ａ）は、甘皮処理工程ＳＴ１を示す。図５（ｂ）は、前処理工程ＳＴ２を示す。図５（ｃ）は、シルクシート処理工程ＳＴ３を示す。図５（ｄ）は、シルクラップ配置工程ＳＴ４を示す。図５（ｅ）は、樹脂コーティング工程ＳＴ５を示す。図５（ｆ）は、成形工程ＳＴ６を示す。なお、図５においては、その工程での施術を特徴づける部材又は範囲にクロスハッチングを示している。
【００５９】
実施形態２は、欠損爪である変形爪の外観を美しく見せる変形爪に対するネイル方法に関する。このような変形爪（欠損爪）は、露出した爪床上皮が盛り上がり易くその後反り返ったりして変形がひどくなることもあり、ネイルが困難な変形爪の一例である。
【００６０】
実施形態２に係る変形爪に対するネイル方法は、施術対象である変形爪の状態が実施形態１と異なるが、基本的には実施形態１に係る変形爪に対するネイル方法と同様、変形爪に対するネイル用キット１や同様の用具等を用いて、図２に示す流れで処置する。すなわち、図５に示すように、図３に示す実施形態１とは変形爪３０の変形具合が異なるものの、変形具合に対応させてシルクシート１１及びシルクラップ１２の形状を調整し、同様の処置を施せばよい。このため、図５には図３と対応させて同じ符号を付した同様の図を示し、以下では、実施形態１とは異なるシルクシート１１及びシルクラップ１２の形状に関するシルクシート処理工程ＳＴ３、及びシルクラップ配置工程ＳＴ４ついてのみ説明し、その他の説明を省略する。
【００６１】
実施形態２におけるシルクシート処理工程ＳＴ３では、第１のストレスポイント３２から第２のストレスポイント３３にかけての指２０の爪床上皮２１と変形爪３０とが離れる分離ライン３４が爪の側方（図５では下方向）根本近くまで延びているが、分離ライン３４を覆う範囲、に対応させて、シルクシート１１をはさみ等で成形する。その後、シルクシート処理工程ＳＴ３において、図５（ｃ）に示すように、分離ライン３４を覆うようにしてシルクシート１１を変形爪３０に斜めに被せて当該シルクシート１１を精製水で溶かす。
【００６２】
また、シルクラップ配置工程ＳＴ４では、爪の側方（図５では下方向）根本近くまで延びている分離ライン３４を覆い、爪の側方の露出している爪床上皮２１表面を覆い、変形爪３０及び指先（指２０の先端）からはみ出すようなサイズにシルクラップ１２をはさみ等で成形する。その後、シルクラップ配置工程ＳＴ４において、図５（ｄ）に示すように、成形したシルクラップ１２を、分離ライン３４を覆い、爪の側方の露出している爪床上皮２１表面を覆い、変形爪３０及び指先（指２０の先端）からはみ出すようにして変形爪３０上に配置する。
【００６３】
実施形態２に係る変形爪に対するネイル方法は、施術対象である変形爪の状態が実施形態１と異なるものの、実施形態１に係る変形爪の改善方法と同様に施術できるため、実施形態１に係る変形爪に対するネイル方法と同様、変形爪３０に対して矯正しなくとも外観良く仕上げることが可能な変形爪３０に対するネイル方法となる。
【００６４】
以上、本発明を上記の実施形態に基づき説明したが、本発明は上記の実施形態に限定されるものではない。その趣旨を逸脱しない範囲において種々の態様において実施することが可能であり、例えば、次のような変形も可能である。
【００６５】
（１）上記実施形態において記載した構成要素の数、形状、位置、向き、配置形態、大きさ、材質等は例示であり、本発明の効果を損なわない範囲において変更することが可能である。
【００６６】
（２）上記した実施形態においては、明らかに変形しているわかる巻き爪及び欠損爪を例に挙げて説明したが、本発明はこれに限定されるものではない。例えば、深爪、肥厚爪、陥入爪も本発明の変形爪に該当する。
【００６７】
（３）上記した実施形態においては、シルクシート１１については１枚用いることを前提に説明したが、本発明はこれに限定されるものではない。例えば、特に注意してケアしたい領域が複数領域ある場合に、シルクシートは、複数枚用いてそれぞれの領域を覆うように分離して被せても良い。
【００６８】
（４）上記した実施形態においては、シルクシート１１やシルクラップ１２は変形爪３０の全表面を覆わないものとして説明したが、本発明はこれに限定されるものではない。シルクシート又はシルクラップが、変形爪の全表面を覆うようにしてもよい。
【００６９】
（５）上記した実施形態においては、１液の樹脂コーティング剤を用いるものであるがごとく、と説明したが、本発明はこれに限定されるものではない。例えば、２液混合の樹脂コーティング剤を用いても良い。
【符号の説明】
【００７０】
１…変形爪改善用キット
１１…シルクシート
１２…シルクラップ
１３…油分除去剤
１４…樹脂コーティング剤（樹脂）
２０…指
２１…爪床上皮
３０…変形爪
３１…甘皮
３２…第１のストレスポイント
３３…第２のストレスポイント
３４…分離ライン
４１…へら
４２，４３…はけ
ＳＴ１…甘皮処理工程
ＳＴ２…前処理工程
ＳＴ３…シルクシート処理工程
ＳＴ４…シルクラップ配置工程
ＳＴ５…樹脂コーティング工程
ＳＴ６…成形工程
【手続補正書】
【提出日】令和2年9月7日(2020.9.7)
【手続補正１】
【補正対象書類名】特許請求の範囲
【補正対象項目名】全文
【補正方法】変更
【補正の内容】
【特許請求の範囲】
【請求項１】
爪床上皮の一部が露出するような変形爪上に、前記爪床上皮の全面を覆うような人工爪を装着するネイル方法であって、
前記変形爪上に当該変形爪からはみ出すようにして露出する前記爪床上皮の一部を覆うとともに、さらに指先からはみ出すようにして下地材としてのシルクラップを配置するシルクラップ配置工程と、
前記変形爪が改善されて見えるような表面形状で、前記変形爪上及び前記シルクラップ上の全面を樹脂でコーティングする樹脂コーティング工程と、を含み、
前記樹脂コーティング工程では、前記樹脂としてジェル状の紫外線硬化樹脂を用い、当該ジェル状の紫外線硬化樹脂を紫外線で硬化させることで前記人工爪を形成することを特徴とする変形爪に対するネイル方法。
【請求項２】
前記樹脂コーティング工程の後に、前記指先からはみ出す部分の端部を所望の形状に整える成形工程をさらに含むことを特徴とする請求項１に記載の変形爪に対するネイル方法。
【請求項３】
前記シルクラップ配置工程より前に、前記変形爪にシルクシートを被せて当該シルクシートを精製水で溶かすシルクシート処理工程をさらに含むことを特徴とする請求項１又は２に記載の変形爪に対するネイル方法。
【請求項４】
前記シルクラップ配置工程では、爪床上皮と前記変形爪とが離れる分離ラインの一端である第１のストレスポイントから前記分離ラインの他端である第２のストレスポイントにかけて、前記分離ラインを覆うように前記シルクラップを配置することを特徴とする請求項１〜３のいずれか一項に記載の変形爪に対するネイル方法。
【請求項５】
前記樹脂コーティング工程では、前記変形爪上及び前記シルクラップ上の全面に亘って、なだらかな表面になるよう前記樹脂でコーティングすることを特徴とする請求項１〜４のいずれか一項に記載の変形爪に対するネイル方法。
【手続補正２】
【補正対象書類名】明細書
【補正対象項目名】全文
【補正方法】変更
【補正の内容】
【発明の詳細な説明】
【技術分野】
【０００１】
本発明は、変形爪に対するネイル方法に関する。
【背景技術】
【０００２】
爪を美しく見せるために、爪の表面に人工爪を装着する処理（本願では「ネイル」と称する。）が行われる。巻き爪等の爪床上皮の一部が露出するような変形爪においては、表面積が小さく人工爪の装着が困難であり、人工爪を装着したとしても表面が盛り上がって外観を良好に仕上げることが困難であることもあって、矯正をしながらネイルを行っていた。巻き爪等の変形爪を改善すべく、さまざまな変形爪の改善方法（矯正方法）が開示されている（例えば、特許文献１及び２参照）。
【０００３】
特許文献１において、変形爪の両側端縁部を係止して引っ張り上げるような、バネ性を有する鋼性又は樹脂製の矯正具を用い、変形爪に変形方向と逆方向に力を加え続ける変形爪の矯正方法が開示されている。特許文献１に開示されて変形爪の矯正方法は、矯正具の取り外しが容易であり、患者自身が簡単に変形爪を矯正できる。
【０００４】
また、特許文献２において、変形爪の表面にバネ性を有する鋼性又は樹脂製の矯正板を接着剤で貼り付け、変形爪に変形方向と逆方向に力を加え続けるとともに、この矯正板の表面を含む変形爪の表面を固化剤でコーティングする変形爪の矯正方法が開示されている。特許文献２に開示されている変形爪の矯正方法は、矯正板の段差を小さくして固化剤で変形爪の表面を滑らかにコーティングできる。
【先行技術文献】
【特許文献】
【０００５】
【特許文献１】特開２００８−１３６６３３号公報
【特許文献２】特開２００５−０６６００３号公報
【発明の概要】
【発明が解決しようとする課題】
【０００６】
しかしながら、特許文献１及び特許文献２で開示されている変形爪の矯正方法は、バネ性を有する鋼性又は樹脂製の矯正具の厚みにより、たとえ矯正具の表面をコーティングしたとしても、外観性に問題がある。
【０００７】
また、特許文献１及び特許文献２で開示されている変形爪の矯正方法は、変形爪に変形方向と逆方向にある程度大きな力を加え続けるため、変形爪に対するストレスが大きいという問題がある。
【０００８】
このような問題に鑑み、本発明は、変形爪に対して矯正をしなくとも外観良く仕上げることが可能な、変形爪に対して人工爪を装着するネイル方法を提供することを課題としている。
【課題を解決するための手段】
【０００９】
［１］本発明に係る変形爪に対するネイル方法は、変形爪上に当該変形爪からはみ出すようにしてシルクラップを配置するシルクラップ配置工程と、変形爪が改善されて見えるような表面形状で、変形爪上及びシルクラップ上の全面を樹脂でコーティングする樹脂コーティング工程と、を含むことを特徴とする。
【００１０】
本発明に係る変形爪に対するネイル方法によれば、変形爪からはみ出すようにしてシルクラップを配置するシルクラップと、変形爪上及びシルクラップ上全体を樹脂でコーティングする樹脂コーティング工程と、を含むため、変形爪の表面で樹脂層が覆うシルクラップ層が薄く強度もあることから、外観を良好に仕上げることができる。
【００１１】
また、本発明に係る変形爪に対するネイル方法によれば、この変形爪の表面を覆うシルクラップ層及び樹脂層は、矯正具のように爪に対して常に元形状に戻ろうとする力を加えるものではないため、矯正具を用いる場合と異なり、変形爪に対するストレスを抑えることができる。
【００１２】
また、本発明に係る変形爪に対するネイル方法によれば、変形爪からはみ出すようにしてシルクラップを配置し、変形爪が改善されて見えるような表面形状でシルクラップを樹脂コーティングするため、変形爪の欠損した部分にもシルクラップを土台とした樹脂コーティングがされることから、外観良く仕上げることができる。
【００１３】
その結果、本発明に係る変形爪に対するネイル方法は、変形爪に対して矯正しなくとも外観良く仕上げることが可能な変形爪に対するネイル方法となる。
【００１４】
［２］本発明に係る変形爪に対するネイル方法において、シルクラップ配置工程より前に、変形爪の表面にサンディング処理を行う前処理工程をさらに含むことが好ましい。
【００１５】
このような方法によれば、シルクラップ層及び樹脂コーティング層の密着性を向上させることから、より外観良く仕上げることができる。
【００１６】
［３］本発明に係る変形爪に対するネイル方法において、樹脂コーティング工程の後に、変形爪からはみ出す部分の端部を所望の形状に整える成形工程をさらに含むことが好ましい。
【００１７】
このような方法によれば、爪の先端を整えて外観をより良好に仕上げることができる。
【００１８】
［４］本発明に係る変形爪に対するネイル方法において、シルクラップ配置工程より前に、変形爪にシルクシートを被せて当該シルクシートを精製水で溶かすシルクシート処理工程をさらに含むことが好ましい。
【００１９】
このような方法によれば、シルクシートを介しシルクラップが配置されることから、シルクラップをよりなじませて変形爪に配置することができる。
【００２０】
［５］本発明に係る変形爪に対するネイル方法において、シルクラップ配置工程では、爪床上皮と変形爪とが離れる分離ラインの一端である第１のストレスポイントから分離ラインの他端である第２のストレスポイントにかけて、分離ラインを覆うようにシルクラップを配置することが好ましい。
【００２１】
このような方法によれば、変形が大きくなる変動ポイントであるストレスポイントを確実にカバーした上で、樹脂コーティングの下地を形成できることから、より外観良く仕上げることができる。
【００２２】
［６］本発明に係る変形爪に対するネイル方法において、シルクラップ配置工程では、一部が指先からはみ出すようにシルクラップを配置してもよい。
【００２３】
このような方法によれば、指先からはみ出した部分にまで樹脂コーティングの下地を形成できることから、外観をより良好に仕上げることができる。
【００２４】
［７］本発明に係る変形爪に対するネイル方法において、樹脂コーティング工程では、樹脂としてジェル状の紫外線硬化樹脂を用い、当該ジェル状の紫外線硬化樹脂を紫外線で硬化させることが好ましい。
【００２５】
このような方法によれば、強度に優れた樹脂コーティング層を容易に形成できる。
【００２６】
［８］本発明に係る変形爪に対するネイル方法において、樹脂コーティング工程では、変形爪上及びシルクラップ上の全面に亘って、なだらかな表面になるよう樹脂でコーティングすることが好ましい。
【００２７】
このような方法によれば、外観をより良好に仕上げることができる。
【発明の効果】
【００２８】
本発明によれば、変形爪に対して矯正しなくとも外観良く仕上げることが可能な、変形爪に対するネイル方法を提供することができる。
【図面の簡単な説明】
【００２９】
【図１】実施形態に係る変形爪に対するネイル用キット１の構成図である。
【図２】実施形態１に係る変形爪に対するネイル方法を示すフローチャートである。
【図３】実施形態１に係る変形爪に対するネイル方法を説明する図である。
【図４】図３（ｆ）のＡ−Ａ断面模式図である。
【図５】実施形態２に係る変形爪に対するネイル方法を説明する図である。
【発明を実施するための形態】
【００３０】
以下に図面を参照して本発明の一実施形態である変形爪に対するネイル方法に関して説明するが、本発明は、この実施形態に限定されるものではない。なお、各図面は必ずしも実際の寸法や細部までを厳密に反映したものではない。
【００３１】
（実施形態１）
［１−１．実施形態１に係る変形爪に対するネイル用キットの構成］
図１は、実施形態１に係る変形爪に対するネイル用キット１の構成図である。
【００３２】
後述において説明する実施形態１に係る変形爪に対するネイル方法において、図１に示すような変形爪に対するネイル用キット１を用いる。変形爪に対するネイル用キット１は、シルクシート１１、シルクラップ１２、油分除去剤１３、及び樹脂コーティング剤１４を含む。また、変形爪に対するネイル用キット１は、これらの他、施術しやすいよう、適宜、やすり・ピンセット・はさみ・ニッパー・へら・はけ等の用具、紫外線照射器等の機器、又は除去剤等が含まれる場合がある。また、変形爪に対するネイル用キット１は、シルクシート１１、シルクラップ１２、油分除去剤１３、及び樹脂コーティング剤１４が、必ずしも同一パッケージに入った状態で準備されるものとは限らない。
【００３３】
シルクシート１１は、絹糸を主成分とするフィブロイン溶液をフィルム化したものであり、アミノ酸を含有する美容液フィルムである。シルクシート１１としては、一例として、株式会社絹工房製の＠ｆｉｂ．ＰＲＥＭＩＵＭ  ＳＩＬＫ  ＳＨＥＥＴ（商品名）を採用している。
【００３４】
シルクラップ１２は、絹糸を主成分とする繊維質の爪補修用のシート又はテープである。シルクラップ１２は、接着剤やネイルグルーが繊維質の隙間に吸収されると、必要十分な硬質及び強度となる。
【００３５】
油分除去剤１３は、脱脂効果のある液剤であり、例えば消毒用エタノールである。
【００３６】
樹脂コーティング剤１４は、固化させると樹脂の硬質物となる液剤又はジェル剤である。本実施形態の樹脂コーティング剤１４は、紫外線硬化ジェル剤を採用しており、紫外線を照射すると硬質の樹脂に変質する。なお、樹脂コーティング剤として自然硬化型のものを採用してもよい。
【００３７】
［１−２．実施形態１に係る変形爪に対するネイル方法］
図２は、実施形態１に係る変形爪に対するネイル方法を示すフローチャートである。
図３は、実施形態１に係る変形爪に対するネイル方法を説明する図である。図３（ａ）は、甘皮処理工程ＳＴ１を示す。図３（ｂ）は、前処理工程ＳＴ２を示す。図３（ｃ）は、シルクシート処理工程ＳＴ３を示す。図３（ｄ）は、シルクラップ配置工程ＳＴ４を示す。図３（ｅ）は、樹脂コーティング工程ＳＴ５を示す。図３（ｆ）は、成形工程ＳＴ６を示す。なお、図３においては、その工程での施術を特徴づける部材又は範囲にクロスハッチングを描いている。
図４は、図３（ｆ）のＡ−Ａ断面模式図である。図４は、ストレスポイント付近を通る断面を模式的に示している。
【００３８】
実施形態１は、巻き爪である変形爪の外観を美しく見せる変形に対するネイル方法に関する。巻き爪は、内側に巻くようにして爪が伸びていく傾向にあり、ネイルが困難な変形爪の一例である。
【００３９】
実施形態１の変形爪３０（巻き爪）は、指２０の爪床上皮２１と変形爪３０とが離れる分離ライン３４（一端が第１のストレスポイント３２で、他端が第２のストレスポイント３３となっている）を境に、先端に行くにしたがって大きく内側に巻いている（図３（ａ）参照）。実施形態１に係る変形爪に対するネイル方法では、前述した変形爪に対するネイル用キット１の他、へら４１、はけ４２，４３、及びお湯が入った容器・やすり・ピンセット・はさみ・ニッパー等といった用具（不図示）、並びに紫外線照射器等といった機器（不図示）を用いる。実施形態１に係る変形爪に対するネイル方法は、図２に示すように、甘皮処理工程ＳＴ１、前処理工程ＳＴ２、シルクシート処理工程ＳＴ３、シルクラップ配置工程ＳＴ４、樹脂コーティング工程ＳＴ５、及び成形工程ＳＴ６を順に行う。
【００４０】
まず、甘皮処理工程ＳＴ１において、変形爪３０及び指２０の先を４０℃程度のお湯にしばらくつけて、変形爪３０表面の甘皮３１等を柔らかくする。その後に、甘皮処理工程ＳＴ１において、図３（ａ）に示すように、へら４１やニッパー等の用具を用いて、甘皮３１を取り除き、変形爪３０の表面を整える。
【００４１】
次に、前処理工程ＳＴ２において、やすりを用いて変形爪３０の表面にサンディング処理した後、図３（ｂ）に示すように、はけ４２等で変形爪３０の表面全面に油分除去剤１３を塗布する。
【００４２】
次に、シルクシート処理工程ＳＴ３において、変形爪３０の特に注意したい範囲、例えば、第１のストレスポイント３２から第２のストレスポイント３３にかけての指２０の爪床上皮２１と変形爪３０とが離れる分離ライン３４を覆う範囲、に対応させて、シルクシート１１をはさみ等で成形する。その後、シルクシート処理工程ＳＴ３において、図３（ｃ）に示すように、変形爪３０の特に注意したい範囲にシルクシート１１を被せて当該シルクシート１１を精製水で溶かす。
【００４３】
次に、シルクラップ配置工程ＳＴ４において、第１のストレスポイント３２から第２のストレスポイント３３にかけて分離ライン３４を覆い、変形爪３０及び指先（指２０の先端）からはみ出すようなサイズにシルクラップ１２をはさみ等で成形する。その後、シルクラップ配置工程ＳＴ４において、図３（ｄ）に示すように、成形したシルクラップ１２を、第１のストレスポイント３２から第２のストレスポイント３３にかけて分離ライン３４を覆い、変形爪３０及び指先（指２０の先端）からはみ出すようにして変形爪３０上に配置する。シルクラップ配置工程ＳＴ４において、シルクラップ１２は、溶かした後乾かせたシルクシート１１及び爪床上皮２１の露出する範囲を完全に覆うとともに、変形爪３０と重なる範囲を広めに設けることが好ましい。
【００４４】
次に、樹脂コーティング工程ＳＴ５において、図３（ｅ）に示すように、はけ４３等を用いて、変形爪３０上及びシルクラップ１２上の全面を樹脂コーティング剤１４（樹脂）でコーティングする。前述したように、樹脂コーティング剤１４は、ジェル状の紫外線硬化樹脂である。その後、樹脂コーティング工程ＳＴ５において、紫外線照射器を用い、樹脂コーティング剤１４を紫外線で硬化させる。樹脂コーティング工程ＳＴ５では、変形爪３０が改善されて見えるような表面形状（表面的に巻き爪だとはなるべくわからないような形状）に、樹脂コーティング剤１４でコーティングする。また、樹脂コーティング工程ＳＴ５では、変形爪３０上及びシルクラップ１２上の全面に亘って、段差なく、なだらかな表面になるよう樹脂コーティング剤１４でコーティングする。
【００４５】
次に、成形工程ＳＴ６において、やすりやはさみ等を用いて、図３（ｆ）に示すように、変形爪３０からはみ出す部分の端部を所望の形状に整える。また、所望の場合には、樹脂コーティング剤１４の表面にマニキュアやデコレーション等で化粧してもよい。
【００４６】
以上の工程を経ることで、指先は外観上良好に化粧される。また、以上の工程を経た変形爪３０は、図４に示すように、特にケアが必要な範囲では、内側から、シルクフィルム１１、シルクラップ１２、及び樹脂コーティング剤１４の層で保護される。
【００４７】
［１−３．実施形態１に係る効果］
実施形態１に係る変形爪に対するネイル方法によれば、変形爪３０からはみ出すようにしてシルクラップ１２を配置するシルクラップＳＴ４と、変形爪３０上及びシルクラップ１２上全体を樹脂コーディング剤１４でコーティングする樹脂コーティング工程ＳＴ５と、を含むため、変形爪３０の表面で樹脂コーティング剤１４層が覆う薄いシルクラップ１２層が薄く強度もあることから、外観を良好に仕上げることができる。
【００４８】
また、実施形態１に係る変形爪に対するネイル方法によれば、変形爪３０の表面を覆うシルクラップ１２層及び樹脂コーティング剤１４層は、矯正具のように爪に対して常に元形状に戻ろうとする力を加えるものではないため、矯正具を用いる場合と異なり、変形爪３０に対するストレスを抑えることができる。
【００４９】
また、実施形態１に係る変形爪に対するネイル方法によれば、変形爪３０からはみ出すようにしてシルクラップ１２を配置し、変形爪３０が改善されて見えるような表面形状でシルクラップ１２を樹脂コーティング剤１４でコーティングするため、変形爪３０の欠損した部分にもシルクラップ１２を土台とした樹脂コーティングがされることから、外観良く仕上げることができる。
【００５０】
その結果、実施形態１に係る変形爪に対するネイル方法は、変形爪３０に対して矯正しなくとも外観良く仕上げることが可能な変形爪３０に対するネイル方法となる。
【００５１】
実施形態１に係る変形爪に対するネイル方法においては、変形爪３０の表面をサンディング処理を含むため、シルクラップ１２層及び樹脂コーティング剤１４層の密着性を向上させることから、より外観良く仕上げることができる。
【００５２】
実施形態１に係る変形爪に対するネイル方法においては、変形爪３０からはみ出す部分の端部を所望の形状に整える成形工程ＳＴ６を含むため、爪の先端を整えて外観をより良好に仕上げることができる。
【００５３】
実施形態１に係る変形爪に対するネイル方法においては、変形爪３０にシルクシート１１を被せて当該シルクシート１１を精製水で溶かすシルクシート処理工程ＳＴ３を含むため、シルクシート１１を介しシルクラップ１２が配置されることから、シルクラップ１２をよりなじませて変形爪３０に配置することができる。
【００５４】
実施形態１に係る変形爪に対するネイル方法においては、シルクラップ配置工程ＳＴ４で、第１のストレスポイント３２から第２のストレスポイント３３にかけて、分離ライン３４を覆うようにシルクラップ１２を配置するため、変形が大きくなる変動ポイントであるストレスポイント３２，３３を確実にカバーした上で、樹脂コーティングの下地を形成できることから、より外観良く仕上げることができる。
【００５５】
実施形態１に係る変形爪に対するネイル方法においては、シルクラップ配置工程ＳＴ４で、一部が指先からはみ出すようにシルクラップ１２を配置するため、指先からはみ出した部分にまで樹脂コーティングの下地を形成できることから、外観をより良好に仕上げることができる。
【００５６】
実施形態１に係る変形爪に対するネイル方法においては、樹脂コーティング工程ＳＴ５で、樹脂コーティング剤１４としてジェル状の紫外線硬化樹脂を用い、紫外線で硬化させるため、強度に優れた樹脂コーティング剤１４層を容易に形成できる。
【００５７】
実施形態１に係る変形爪に対するネイル方法においては、樹脂コーティング工程ＳＴ５で、変形爪３０上及びシルクラップ１２上の全面に亘って、なだらかな表面になるよう樹脂コーティング剤１４でコーティングするため、外観をより良好に仕上げることができる。
【００５８】
（実施形態２）
図５は、実施形態２に係る変形爪に対するネイル方法を説明する図である。図５（ａ）は、甘皮処理工程ＳＴ１を示す。図５（ｂ）は、前処理工程ＳＴ２を示す。図５（ｃ）は、シルクシート処理工程ＳＴ３を示す。図５（ｄ）は、シルクラップ配置工程ＳＴ４を示す。図５（ｅ）は、樹脂コーティング工程ＳＴ５を示す。図５（ｆ）は、成形工程ＳＴ６を示す。なお、図５においては、その工程での施術を特徴づける部材又は範囲にクロスハッチングを示している。
【００５９】
実施形態２は、欠損爪である変形爪の外観を美しく見せる変形爪に対するネイル方法に関する。このような変形爪（欠損爪）は、露出した爪床上皮が盛り上がり易くその後反り返ったりして変形がひどくなることもあり、ネイルが困難な変形爪の一例である。
【００６０】
実施形態２に係る変形爪に対するネイル方法は、施術対象である変形爪の状態が実施形態１と異なるが、基本的には実施形態１に係る変形爪に対するネイル方法と同様、変形爪に対するネイル用キット１や同様の用具等を用いて、図２に示す流れで処置する。すなわち、図５に示すように、図３に示す実施形態１とは変形爪３０の変形具合が異なるものの、変形具合に対応させてシルクシート１１及びシルクラップ１２の形状を調整し、同様の処置を施せばよい。このため、図５には図３と対応させて同じ符号を付した同様の図を示し、以下では、実施形態１とは異なるシルクシート１１及びシルクラップ１２の形状に関するシルクシート処理工程ＳＴ３、及びシルクラップ配置工程ＳＴ４ついてのみ説明し、その他の説明を省略する。
【００６１】
実施形態２におけるシルクシート処理工程ＳＴ３では、第１のストレスポイント３２から第２のストレスポイント３３にかけての指２０の爪床上皮２１と変形爪３０とが離れる分離ライン３４が爪の側方（図５では下方向）根本近くまで延びているが、分離ライン３４を覆う範囲、に対応させて、シルクシート１１をはさみ等で成形する。その後、シルクシート処理工程ＳＴ３において、図５（ｃ）に示すように、分離ライン３４を覆うようにしてシルクシート１１を変形爪３０に斜めに被せて当該シルクシート１１を精製水で溶かす。
【００６２】
また、シルクラップ配置工程ＳＴ４では、爪の側方（図５では下方向）根本近くまで延びている分離ライン３４を覆い、爪の側方の露出している爪床上皮２１表面を覆い、変形爪３０及び指先（指２０の先端）からはみ出すようなサイズにシルクラップ１２をはさみ等で成形する。その後、シルクラップ配置工程ＳＴ４において、図５（ｄ）に示すように、成形したシルクラップ１２を、分離ライン３４を覆い、爪の側方の露出している爪床上皮２１表面を覆い、変形爪３０及び指先（指２０の先端）からはみ出すようにして変形爪３０上に配置する。
【００６３】
実施形態２に係る変形爪に対するネイル方法は、施術対象である変形爪の状態が実施形態１と異なるものの、実施形態１に係る変形爪の改善方法と同様に施術できるため、実施形態１に係る変形爪に対するネイル方法と同様、変形爪３０に対して矯正しなくとも外観良く仕上げることが可能な変形爪３０に対するネイル方法となる。
【００６４】
以上、本発明を上記の実施形態に基づき説明したが、本発明は上記の実施形態に限定されるものではない。その趣旨を逸脱しない範囲において種々の態様において実施することが可能であり、例えば、次のような変形も可能である。
【００６５】
（１）上記実施形態において記載した構成要素の数、形状、位置、向き、配置形態、大きさ、材質等は例示であり、本発明の効果を損なわない範囲において変更することが可能である。
【００６６】
（２）上記した実施形態においては、明らかに変形しているわかる巻き爪及び欠損爪を例に挙げて説明したが、本発明はこれに限定されるものではない。例えば、深爪、肥厚爪、陥入爪も本発明の変形爪に該当する。
【００６７】
（３）上記した実施形態においては、シルクシート１１については１枚用いることを前提に説明したが、本発明はこれに限定されるものではない。例えば、特に注意してケアしたい領域が複数領域ある場合に、シルクシートは、複数枚用いてそれぞれの領域を覆うように分離して被せても良い。
【００６８】
（４）上記した実施形態においては、シルクシート１１やシルクラップ１２は変形爪３０の全表面を覆わないものとして説明したが、本発明はこれに限定されるものではない。シルクシート又はシルクラップが、変形爪の全表面を覆うようにしてもよい。
【００６９】
（５）上記した実施形態においては、１液の樹脂コーティング剤を用いるものであるがごとく、と説明したが、本発明はこれに限定されるものではない。例えば、２液混合の樹脂コーティング剤を用いても良い。
【符号の説明】
【００７０】
１…変形爪改善用キット
１１…シルクシート
１２…シルクラップ
１３…油分除去剤
１４…樹脂コーティング剤（樹脂）
２０…指
２１…爪床上皮
３０…変形爪
３１…甘皮
３２…第１のストレスポイント
３３…第２のストレスポイント
３４…分離ライン
４１…へら
４２，４３…はけ
ＳＴ１…甘皮処理工程
ＳＴ２…前処理工程
ＳＴ３…シルクシート処理工程
ＳＴ４…シルクラップ配置工程
ＳＴ５…樹脂コーティング工程
ＳＴ６…成形工程